【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
コンテンツの転送デバイス情報を利用したインセンティブ配分管理を実行する管理サーバとしての情報処理装置であり、
情報提供デバイスにおける出力コンテンツのデバイス間転送情報として、少なくとも前記情報提供デバイスと、コンテンツ転送を実行した１以上のユーザデバイスのデバイス識別子を受信する通信部と、
取得したデバイス識別子に対応するデバイス管理者をインセンティブ配分対象者として選定する処理を実行する制御部と、
を有する情報処理装置。
【請求項２】
前記制御部は、
前記情報提供デバイスと、前記コンテンツの閲覧に基づく商品購入を実行したユーザデバイスに対して前記コンテンツを送信したユーザデバイスのデバイス識別子に対応するデバイス管理者をインセンティブ配分対象者として選定する処理を実行する構成である請求項１に記載の情報処理装置。
【請求項３】
前記制御部は、
前記情報提供デバイスと、前記コンテンツの閲覧に基づく商品購入を実行したユーザデバイスに対して前記コンテンツを送信したユーザデバイスまでのコンテンツ転送ルート上にある全デバイスのデバイス識別子に対応するデバイス管理者をインセンティブ配分対象者として選定する処理を実行する構成である請求項１に記載の情報処理装置。
【請求項４】
前記管理サーバは、前記インセンティブ配分対象者へのインセンティブの配分割合を動的に変更または設定し管理する構成である請求項１に記載の情報処理装置。
【請求項５】
情報提供デバイスの出力コンテンツの取得またはデバイス間での転送を実行するユーザデバイスとしての情報処理装置であり、
前記情報提供デバイス、または他のユーザデバイスからコンテンツを受信するとともに、前記情報提供デバイスの識別子と、コンテンツ送信ユーザデバイスの識別子を受信する通信部と、
前記通信部の受信したデータを記憶する記憶部と、
前記記憶部に格納されたコンテンツの送信に際して、コンテンツとともに前記情報提供デバイスの識別子と自装置のデバイス識別子を送信データとして設定する制御部と、
を有する情報処理装置。
【請求項６】
前記通信部は、
前記コンテンツ受信に際して、前記情報提供デバイスから前記コンテンツ送信ユーザデバイスまでのコンテンツ転送ルート上にある全デバイスのデバイス識別子を受信し、
前記制御部は、
前記記憶部に格納されたコンテンツの送信に際して、コンテンツとともに前記情報提供デバイスから前記コンテンツ送信ユーザデバイスまでのコンテンツ転送ルート上にある全デバイスのデバイス識別子と自装置のデバイス識別子を送信データとして設定する構成である請求項５に記載の情報処理装置。
【請求項７】
コンテンツ提供を行うコンテンツ提供サーバと、
前記コンテンツのデバイスに対する出力管理と、出力コンテンツの転送デバイス情報を利用したインセンティブ配分管理を実行する管理サーバと、
前記コンテンツの初期出力を行う情報提供デバイスと、
前記情報提供デバイスの出力コンテンツの取得またはデバイス間での転送を実行する複数のユーザデバイスを有し、
前記コンテンツの転送処理を実行するコンテンツ送信ユーザデバイスは、コンテンツ転送処理に際して、前記情報提供デバイスの識別子と、コンテンツ送信ユーザデバイスの識別子を併せて送信し、
前記コンテンツを受信するコンテンツ受信ユーザデバイスは、前記情報提供デバイスの識別子と、コンテンツ送信ユーザデバイスの識別子をメモリに格納し、前記コンテンツの閲覧に基づく商品購入に際して前記メモリに格納したデバイス識別子を出力し、
前記管理サーバは、前記商品購入時にユーザデバイスから出力されたデバイス識別子を利用して、該デバイス識別子に対応するデバイス管理者をインセンティブ配分対象者として選定する情報処理システム。
【請求項８】
前記コンテンツ送信ユーザデバイスは、前記コンテンツの転送処理に際して、前記情報提供デバイスの識別子と、コンテンツ送信ユーザデバイスの識別子と、前記情報提供デバイスからコンテンツ送信ユーザデバイス間のコンテンツ転送ルート上の全デバイスの識別子を併せて送信し、
前記コンテンツ受信ユーザデバイスは、前記情報提供デバイスからコンテンツ送信ユーザデバイス間のコンテンツ転送ルート上の全デバイスの識別子をメモリに格納し、前記コンテンツの閲覧に基づく商品購入に際して、前記メモリに格納したデバイス識別子を出力し、
前記管理サーバは、前記商品購入時にユーザデバイスから出力されたコンテンツ転送ルート上の全デバイスのデバイス識別子を利用して、該デバイス識別子に対応するデバイス管理者をインセンティブ配分対象者として選定する請求項７に記載の情報処理システム。
【請求項９】
前記コンテンツ受信ユーザデバイスは、前記コンテンツの閲覧に基づく商品購入に際して、前記メモリに格納したデバイス識別子を前記コンテンツ提供サーバに通知し、
前記管理サーバは、前記コンテンツ提供サーバに通知されたコンテンツ転送ルート上のデバイス識別子を利用して、該デバイス識別子に対応するデバイス管理者をインセンティブ配分対象者として選定する請求項７または８に記載の情報処理システム。
【請求項１０】
前記コンテンツの初期出力を行う情報提供デバイスは、ユーザデバイスによる情報取得処理の可能な公共端末である請求項７または８に記載の情報処理システム。
【請求項１１】
前記コンテンツの初期出力を行う情報提供デバイスは、ネットワークを介した情報取得を可能とした情報開示を実行するデバイスである請求項７または８に記載の情報処理システム。
【請求項１２】
前記コンテンツは、商品広告コンテンツであり、前記ユーザデバイスは、前記広告コンテンツの閲覧に基づく商品購入に際して、前記メモリに格納したデバイス識別子を前記コンテンツ提供サーバに通知する構成である請求項７または８に記載の情報処理システム。
【請求項１３】
前記管理サーバまたは前記コンテンツ提供サーバは、前記インセンティブ配分対象者へのインセンティブの配分割合を動的に変更または設定し管理する構成である請求項７または８に記載の情報処理システム。
【請求項１４】
コンテンツ提供サーバがコンテンツ提供を行うコンテンツ提供ステップと、
管理サーバが、前記コンテンツのデバイスに対する出力管理と、出力コンテンツの転送デバイス情報を利用したインセンティブ配分管理を実行する管理ステップと、
情報提供デバイスが、前記コンテンツの初期出力を行う情報提供ステップと、
コンテンツ送信ユーザデバイスが、前記情報提供デバイスから出力されたコンテンツの転送処理を実行する際に、前記情報提供デバイスの識別子と、コンテンツ送信ユーザデバイスの識別子を併せて送信するステップと、
コンテンツ受信ユーザデバイスが、前記情報提供デバイスの識別子と、コンテンツ送信ユーザデバイスの識別子をメモリに格納し、前記コンテンツの閲覧に基づく商品購入に際して前記メモリに格納したデバイス識別子を出力するステップと、
前記管理サーバが、前記商品購入時にユーザデバイスから出力されたデバイス識別子を利用して、該デバイス識別子に対応するデバイス管理者をインセンティブ配分対象者として選定するステップと、
を有する情報処理方法。
【請求項１５】
コンテンツの転送デバイス情報を利用したインセンティブ配分管理を実行する管理サーバとしての情報処理装置において実行する情報処理方法であり、
通信部が、情報提供デバイスにおける出力コンテンツのデバイス間転送情報として、少なくとも前記情報提供デバイスと、コンテンツ転送を実行した１以上のユーザデバイスのデバイス識別子を受信する通信ステップと、
制御部が、前記通信ステップにおいて取得したデバイス識別子に対応するデバイス管理者をインセンティブ配分対象者として選定する処理を実行する制御ステップと、
を有する情報処理方法。
【請求項１６】
情報提供デバイスの出力コンテンツの取得またはデバイス間での転送を実行するユーザデバイスとしての情報処理装置において実行する情報処理方法であり、
通信部が、前記情報提供デバイス、または他のユーザデバイスからコンテンツを受信するとともに、前記情報提供デバイスの識別子と、コンテンツ送信ユーザデバイスの識別子を受信する通信ステップと、
制御部が、前記通信ステップにおいて受信したデータを記憶部に格納するステップと、
前記制御部が、前記記憶部に格納されたコンテンツの送信に際して、コンテンツとともに前記情報提供デバイスの識別子と自装置のデバイス識別子を送信データとして設定する制御ステップと、
を有する情報処理方法。
【請求項１７】
コンテンツの転送デバイス情報を利用したインセンティブ配分管理を実行する管理サーバとしての情報処理装置において情報処理を実行させるコミンピュータ・プログラムであり、
通信部に、情報提供デバイスにおける出力コンテンツのデバイス間転送情報として、少なくとも前記情報提供デバイスと、コンテンツ転送を実行した１以上のユーザデバイスのデバイス識別子を受信させる通信ステップと、
制御部に、前記通信ステップにおいて取得したデバイス識別子に対応するデバイス管理者をインセンティブ配分対象者として選定する処理を実行させる制御ステップと、
を有するコンピュータ・プログラム。
【請求項１８】
情報提供デバイスの出力コンテンツの取得またはデバイス間での転送を実行するユーザデバイスとしての情報処理装置において情報処理を実行させるコンピュータ・プログラムであり、
通信部に、前記情報提供デバイス、または他のユーザデバイスからコンテンツを受信するとともに、前記情報提供デバイスの識別子と、コンテンツ送信ユーザデバイスの識別子を受信させる通信ステップと、
制御部に、前記通信ステップにおいて受信したデータを記憶部に格納させるステップと、
前記制御部に、前記記憶部に格納されたコンテンツの送信に際して、コンテンツとともに前記情報提供デバイスの識別子と自装置のデバイス識別子を送信データとして設定させる制御ステップと、
を有するコンピュータ・プログラム。